(57)【特許請求の範囲】
【請求項１】
通信端末で検出可能な状態で所定の態様で媒体に掲載されたアクセスコードを、サイトコードと媒体コードとを含ませたアクセスコードとし、
上記通信端末が備える検出手段で上記アクセスコード内のサイトコードと媒体コードを検出した際に、この通信端末に直ぐにアクセスするモードが設定されているとき、この通信端末のコントローラの制御で、この通信端末が備える通信機能で自動的に所定のサーバに接続する処理を行うと共に、そのサーバ経由で検出した上記サイトコードで示されるサイトにアクセスする処理を上記コントローラの制御で行い、上記直ぐにアクセスするモードが設定されていない場合には上記コントローラの制御で上記アクセスする処理をしないで待機し、
上記検出手段が検出した媒体コードを、上記コントローラの制御で上記通信端末内の記憶手段に蓄積させて、上記通信端末の通信回線の制御局が所定時に各通信端末の記憶手段に蓄積された媒体コードを読出して収集する
データ収集方法。
【請求項２】
請求項１記載のデータ収集方法において、
上記アクセスコードは、上記媒体にホームページアドレスを印刷した箇所に、その媒体の表面から見えない状態で、通信端末が備える検出手段で検出可能に掲載されたものである
データ収集方法。
【発明の詳細な説明】
【０００１】
【発明の属する技術分野】
本発明は、例えば携帯電話端末などの通信端末を使用して、インターネットのホームページなどにアクセスする場合のアクセスに関するデータを集計するデータ収集方法に関する。
【０００２】
【従来の技術】
従来、電話回線を使用してユーザがインターネットにアクセスする場合には、電話機を登録されたサーバにダイヤルアップなどで接続させた後、アルファベットや数字などの文字列で構成されたホームページのアドレスをサーバに伝送して、そのホームページにリンクさせて、該当するホームページのデータを電話機に接続された情報処理装置にダウンロードさせるようにしてあった。
【０００３】
この場合、携帯電話端末などの移動体通信が行える端末装置を使用したインターネットへのアクセスについても実現されており、この場合、ホームページからダウンロードさせたデータを表示させたりする情報処理装置としての機能を、携帯電話端末に内蔵させたものも存在する。
【０００４】
このようなインターネットのホームページへのアクセスを行う際には、予めホームページのアドレスを何らかの方法で確認し、その確認したアドレスを入力させる操作が必要である。
【０００５】
【発明が解決しようとする課題】
ここで、ホームページのアドレスは、アルファベットや数字などの組み合わせによる比較的長い文字列で構成されているため、その入力には手間がかかる問題があった。特に、携帯電話端末を使用してアドレスを入力させる場合には、数字が割当てられたダイヤルキーの煩雑な操作でアルファベット入力を行う必要があり、非常に手間がかかる問題があった。
【０００６】
この問題点を解決するために、例えばＵＲＬ（Uniform Resource Locator）と称されるホームページのアドレスなどをバーコード化して印刷物に記載し、そのバーコードを通信装置に接続されたスキャナ（バーコードリーダ）で読取らせて、通信装置でその読取ったアドレスにアクセスできるようにしたものが提案されている（特開平９−２０４３８９号など）。
【０００７】
ところが、従来提案されている処理では、単にホームページのアドレスに相当するものをバーコードなどにコード化するだけであり、サイトへのアクセス手順の一部を簡易化するだけであり、ユーザと情報提供者の双方にとってより効率的な処理が求められていた。
【０００８】
本発明は、ユーザが簡単な操作でホームページなどにアクセスできるようにすると共に、情報提供者にとってもアクセス結果の集計が容易に行えるようにすることを目的とする。
【０００９】
【課題を解決するための手段】
本発明は、通信端末で検出可能な状態で所定の態様で媒体に掲載されたアクセスコードを、サイトコードと媒体コードとを含ませたアクセスコードとし、通信端末が備える検出手段でアクセスコード内のサイトコードと媒体コードを検出した際に、この通信端末に直ぐにアクセスするモードが設定されているとき、この通信端末のコントローラの制御で、この通信端末が備える通信機能で自動的に所定のサーバに接続する処理を行うと共に、そのサーバ経由で検出したサイトコードで示されるサイトにアクセスする処理をコントローラの制御で行い、直ぐにアクセスするモードが設定されていない場合にはコントローラの制御でアクセスする処理をしないで待機し、検出手段が検出した媒体コードを、コントローラの制御で通信端末内の記憶手段に蓄積させて、通信端末の通信回線の制御局が所定時に各通信端末の記憶手段に蓄積された媒体コードを読出して収集するようにしたものである。
【００１０】
本発明によると、媒体に記載されたアクセスコードを検出するだけで、そのアクセスコードに含まれるサイトコードのサイトにアクセスできると共に、そのアクセスコードに含まれる媒体コードの集計で、サイト側あるいは通信回線運用者側ではどの媒体を利用してアクセスさせたのか集計できるようになる。
【００１５】
【発明の実施の形態】
以下、本発明の一実施の形態を、図１〜図８を参照して説明する。
【００１６】
本実施の形態においては、携帯電話機と称される無線通信端末装置を使用して、インターネットのホームページなどのサイトにアクセスできるようにしたシステムに適用したものである。このような通信端末装置を使用した各サイトへのアクセスについては、例えばＷＡＰ（Wireless Application Protocol ）やＩ−ｍｏｄｅ等の名称で規格化された携帯電話向けの簡易化されたプロトコルで実行される。
【００１７】
図１は、本実施の形態のシステム全体構成を示したものである。本例においては無線基地局１０１との間で無線通信による通信回線を設定して、その通信回線で任意の相手と通話やデータ通信が行える通信端末装置１０を用意する。ここでの通信端末装置１０は、上述したプロトコルによりインターネットのホームページなどのサイトにアクセスして、そのサイトから伝送されるデータを表示部に表示したり、サイトに各種データを伝送することができる構成としてある。各サイトにアクセスする際には、この通信端末装置１０が備える読取り部で印刷物２００に掲載されたバーコード２０１を使用する。通信端末装置１０の構成の詳細については後述する。
【００１８】
無線基地局１０１は、無線電話回線の運用者が用意した制御局１０２の制御で、各端末装置との無線通信が行われる。この場合、制御局１０２ではネットワーク内の各端末装置の使用状況を監視する構成としてあり、インターネットへのアクセスがあったときには、そのアクセスに関するデータをアクセスデータ記憶部１０４に記憶させる構成としてある。このアクセスデータ記憶部１０４に記憶されたデータは、制御局１０２（又は制御局１０２に接続された相手）が集計できるようにしてある。
【００１９】
各通信端末装置１０がインターネットにアクセスする際には、無線基地局１０１に接続されたキャリア側サーバ１０３にダイヤルアップで接続させた後、このサーバ１０３に接続されたインターネット１０５にアクセスする構成としてある。なお、ここでは説明を簡単にするために無線基地局１０１を１つだけ示したが、実際には複数の基地局でサービスエリアが構成してあり、キャリア側サーバ１０３についても各地域毎に複数用意されている場合もある。
【００２０】
次に、本例の通信端末装置１０の構成を図２を参照して説明する。まず、通信端末装置１０の受信系について説明すると、アンテナ１１に接続された送受信処理部１２で、基地局から送信される所定のチャンネルの信号を受信して中間周波信号（又はベースバンド信号）に変換する。変換された受信信号は、変復調処理部１３に供給し、伝送方式に基づいた復調処理を行って、伝送データを検出する。変復調部１３で検出された伝送データは、データ処理部１４に供給し、音声データ，制御データ，その他のデータなどのデータ種別に基づいたデータ抽出を行う。データ処理部１４で抽出された音声データについては、デジタル・アナログ変換器１５に供給して、アナログ音声信号に変換し、変換された音声信号をスピーカ１６に供給して放音させる。
【００２１】
送信系の構成としては、マイクロホン１７が出力する音声信号を、アナログ・デジタル変換器１８に供給してデジタル音声データとし、このデジタル音声データをデータ処理部１４に供給し、伝送用のデータ構成とする。この場合、制御データなどの付加処理も必要により行う。データ処理部１４で生成された伝送用のデータは、変復調処理部１３に供給して、送信用の変調処理を行い、その変調された送信信号を送受信処理部１２で所定のチャンネルの信号に周波数変換し、その周波数変換された信号をアンテナ１１から無線送信する。
【００２２】
受信時にデータ処理部１４で抽出された制御データとその他のデータについては、この通信端末装置１０の各部の動作制御を行うコントローラ２１に供給し、コントローラ２１が供給されるデータに基づいた処理を行う。また、コントローラ２１の制御で送信する必要のある制御データについては、コントローラ２１などからデータ処理部１４に供給して、音声データと同様に送信処理を行う。
【００２３】
コントローラ２１にはメモリ２２が接続してある。メモリ２２には、通信制御に必要なデータや電話帳データなどの一般の携帯電話端末が必要とするデータの記憶エリアが用意してあると共に、サイトへのアクセス用のデータの記憶エリア及びサイトから伝送されたデータの記憶エリアが用意してある。
【００２４】
また、この通信端末装置１０は、液晶表示パネルなどで構成された表示部２３を備え、コントローラ２１の制御で電話番号や文字メールなどの無線電話端末として必要な表示が行えると共に、サイトへのアクセス時には、サイト側から伝送されたデータを表示部２３に表示させるようにしてある。また、ダイヤルキー，発信キー，各種機能キー，十字キーなどの入力手段で構成される操作部２４を備えて、この操作部２４の操作情報をコントローラ２１が判断できる構成としてある。この操作部２４を構成する入力手段としては、ここでは図３に示すように、上述した各種キーの他に、回転操作と押下げ操作とが行えるジョグダイヤルと称されるダイヤル型入力手段２４ａを端末装置の側面部に備える。
【００２５】
そして本例の通信端末装置１０は、バーコードを読取るためのスキャナ２５と、そのスキャナ２５が読取った信号をデコードするデコーダ２６とを備え、デコーダ２６でデコードされたデータをコントローラ２１が判断して、メモリ２２に記憶させることができる構成としてある。スキャナ２５は、例えば図３に示すように、端末装置１０の底面部１０ａに配置してあり、スキャナ２５の読取り部２５ａが下側に露出した構成としてある。ここでは、この読取り部２５ａが配置されたスキャナ２５が、底面部１０ａから多少突出した状態で取付けてあり、読取り部２５ａを何らかの物（印刷物）に押し当てたとき、矢印ｕで示すようにスキャナ２５が上方に若干押し込まれる構成としてある。この矢印ｕで示す方向にスキャナ２５を押し込んだとき、スキャナ２５に電源が供給されて、読取り部２５ａと接触した印刷物のスキャニングを行う構成としてある。
【００２６】
本例の通信端末装置１０が備えるスキャナ２５は、各種広告媒体に印刷されたバーコードをスキャンする。従って、デコーダ２６はバーコード化されたデータのデコードを行う構成としてある。
【００２７】
次に、本例の通信端末装置１０のスキャナ２５がスキャニングするバーコードについて説明する。図４は、バーコードの掲載状態の例と、そのスキャニング状態の例を示したものである。ここでは、雑誌３００の広告ページ３０１の所定位置に、その広告を掲載させた会社のホームページのアドレス（ＵＲＬ）の文字列３０２が掲載させてあると共に、そのホームページアドレスの文字列３０２の近傍に、アクセスコードのバーコード３０３が掲載させてある。
【００２８】
ここでのバーコード３０３は、例えば図５に示すデータ構成としてある。即ち、先頭にスタートコードを配置し、以下順に媒体認識コード、媒体コード、サイトコード、ストップコードが配置してある。スタートコードは、サイトにアクセスするためのコードであることを端末装置に認識させるためのコードであり、予め決められた特定のコードを配置する。媒体認識コードは、次に始まる媒体コードが何文字のコードであるのかを端末装置に認識させるためのコードである。媒体コードは、どの媒体からアクセスしているのかを示すコードで、各媒体の名前に対応したコードとする。例えば、バーコードが掲載された雑誌名などに対応したコードとする。サイトコードは、どのサイトにアクセスするのかを示すコードで、インターネットのサイトの場合にはＵＲＬをコード化したものとされる。ストップコードは、アクセスコードを終了させることを端末装置に認識させるためのコードであり、予め決められた特定のコードを配置する。以下の説明では、このスタートコードからストップコードまでの集合体をアクセスコードと称する。
【００２９】
このように掲載されたバーコード３０３をスキャニングする際には、例えば図４に示すように、通信端末装置１０の底面部のスキャナ２５を、広告ページ３０１に押し当てた状態で、バーコード３０３の左端から矢印ｓで示すように通信端末装置１０を移動させる。
【００３０】
このように通信端末装置１０でアクセスコードのバーコードをスキャニングさせた際には、通信端末装置１０のコントローラ２１の制御で、そのアクセスコードに含まれるサイトコードのサイトへのアクセスが自動的に行われる構成としてある。
【００３１】
図６のフローチャートは、このアクセス処理を示したものである。まず、コントローラ２１は、スキャナ２５が押下げられたか否か判断し（ステップＳ１１）、スキャナ２５が押下げられたと判断したとき、スキャナ２５に電源を供給させて作動させる（ステップＳ１２）。この電源の供給でスキャナ２５が読取ったデータをデコードした結果を、コントローラ２１が判断し、正しいコードを検出したか否か判断する（ステップＳ１３）。ここでの正しいコードの検出とは、図５に示したアクセスコードの検出であり、例えばスタートコードを検出したか否か判断する。
【００３２】
ステップＳ１３で正しいコードが検出できない場合には、何らかの誤操作であると判断して、アクセス処理を中止する（ステップＳ１４）。そして、正しいコードを検出した場合には、デコーダ２６がデコードしたサイトコードと媒体コードを、メモリ２２に記憶させる（ステップＳ１５）。ここで、この通信端末装置１０に設定されている動作モードが、直ぐにアクセスするモードであるか否か判断し（ステップＳ１６）、直ぐにアクセスするモードである場合には、現在の通信端末装置１０の位置がこの端末が使用できるサービスエリア内であるか否か（即ち基地局１０１と無線通信ができる位置であるか否か）判断する（ステップＳ１７）。
【００３３】
ステップＳ１６で直ぐにアクセスするモードが設定されてない場合と、ステップＳ１７で無線電話のサービスエリア外であると判断した場合には、ここではアクセス処理を実行せずに待機する（ステップＳ１８）。この場合、ステップＳ１５でメモリ２２に記憶させたサイトコードと媒体コードは、そのままメモリに残しておく。
【００３４】
ステップＳ１７でサービスエリア内であると判断した場合には、コントローラ２１が情報閲覧用のブラウザを起動させて、基地局１０１を経由して契約しているキャリア側サーバ１０３にダイヤルアップで接続させるアクセス処理を行う（ステップＳ１９）。キャリア側サーバ１０３へのアクセスができると、ステップＳ１５でメモリ２２に記憶させたサイトコードをキャリア側サーバ１０３に伝送する（ステップＳ２０）。サイトコードの伝送で、キャリア側サーバ１０３はそのコードで示されるサイト（インターネットのホームページなど）に接続させる処理を行い、例えばそのサイトからのデータを通信端末装置１０で受信して表示部２３に表示させる等のアクセス処理を行う（ステップＳ２１）。そして、コントローラ２１はアクセスを終了させる操作が行われたか否か判断し（ステップＳ２２）、アクセス終了操作が行われた場合、通信回線を切断させる終了処理を行う。
【００３５】
なお、このアクセス処理が終了した後も、ステップＳ１５でメモリ２２に記憶させたサイトコードと媒体コードは、そのままメモリ２２に残しておく。そして、その記憶されたサイトコードについては、ユーザの通信端末装置１０の操作で表示部に表示させることができる構成としてあると共に、ユーザが不要であると判断した場合には、その不要であると判断したサイトコードのメモリ２２からの削除ができる構成としてある。
【００３６】
また、ステップＳ１８で待機状態となった場合には、以後の任意のときに、ユーザがメモリ２２に記憶されたサイトコードを表示部２３に表示させて確認した後、その表示されたサイトコードへのアクセスを実行させることができる。その場合のアクセス処理についても、ステップＳ１９〜Ｓ２２の処理と同様である。
【００３７】
次に、キャリア側サーバ１０３での処理を、図７のフローチャートを参照して説明する。キャリア側サーバ１０３では、各通信端末装置のユーザからのアクセスがあるか否か判断し（ステップＳ３１）、アクセスがあったとき、サイトコードの伝送があるか否か判断し（ステップＳ３２）、サイトコードの伝送があるとき、該当するサイトへの接続処理を行う（ステップＳ３３）。この接続されるサイトとしては、インターネットのホームページの他に、この無線電話システムの運用会社（キャリア）側で独自に用意されたサイトの場合もある。
【００３８】
このようにサイトへのアクセスが行われるが、本例のシステムの場合には、この無線電話システムの無線電話回線を制御する制御局１０２が、各通信端末装置のメモリ２２に記憶された媒体コードを収集するようにしてある。図８のフローチャートは制御局１０２での媒体コードの収集処理例を示したもので、媒体コードを収集するタイミングであるか否か判断し（ステップＳ４１）、収集するタイミングになると、各通信端末装置を制御局が順に呼び出して、各通信端末装置のメモリ２２に蓄積された媒体コードを制御局に転送させる（ステップＳ４２）。この転送作業が行われた媒体コードについては、各通信端末装置のメモリ２２から消去する。そして、転送された媒体コードを制御局１０２がアクセスデータ蓄積部１０４に記憶させて蓄積させ、その蓄積された媒体コードを制御局１０２などが集計する（ステップＳ４３）。
【００３９】
なお、ステップＳ４１での集計を行うタイミングの判断としては、例えば１カ月に一度、一週間に一度などの任意のタイミングを設定すれば良く、制御局からの各通信端末装置の呼び出しによる媒体コードの転送処理としては、制御局と各通信端末装置内のコントローラとの制御データのやり取りだけで良く、各通信端末装置のユーザには判らない状態で媒体コードの転送が行われる。
【００４０】
また、ステップＳ４２で媒体コードを読出させる通信端末装置は、例えばこの無線電話システム内の全ての通信端末装置（但しサイトへの接続ができるように設定又は登録してある通信端末装置に限られる）を順に呼び出すようにしても良いが、例えばキャリア側サーバ１０３にアクセスのあった端末装置に関するデータをサーバ１０３側から制御局１０２に伝送し、制御局１０２ではそのアクセスのあった通信端末装置だけを順に呼び出すようにしても良い。また、サーバ１０３にアクセスのあった端末装置の数が多いために、全ての通信端末装置からの媒体コードの転送処理を行うのが困難である場合には、任意の台数の端末装置だけからデータを転送させるようにして、サンプリングで媒体コードを収集するようにしても良い。
【００４１】
このようにして制御局１０２側に集められた媒体コードの集計を行うことで、各通信端末装置のユーザがサイトへのアクセスを行う際に、各種媒体にバーコードなどで掲載されたアクセスコードを使用したのか否かが判断できると共に、アクセスコードを使用した際には、どの媒体を使用してアクセスコードを得たのかが判断できる。従って、各サイトを運用する側では、どの媒体を使用して宣伝するのが最も効果的であるのかのデータが得られる。
【００４２】
なお、上述した実施の形態では、媒体コードを無線電話システムの制御局が収集するようにしたが、サーバが各通信端末装置からのアクセス時に収集するようにしても良い。図９は、このアクセス時にキャリア側サーバ１０３が媒体コードを収集する場合のシステム構成を示したもので、アクセスデータ蓄積部１０４をキャリア側サーバ１０３に接続しておく。そして、制御局１０２などの媒体コードを集計する側では、サーバ１０３に接続されたアクセスデータ蓄積部１０４を読出して、集計処理させる。その他の部分は、図１に示すシステム構成と同様に構成する。
【００４３】
そして、各通信端末装置でのアクセス処理として、図１０のフローチャートに示す処理を行う。この図１０のフローチャートの処理は、図６のフローチャートのステップＳ２０でのサイトコードの伝送処理の替わりに、ステップＳ２３でのサイトコード及び媒体コードの伝送処理を行うようにしたものである。即ち、コントローラ２１は、スキャナ２５が押下げられたか否か判断し（ステップＳ１１）、スキャナ２５が押下げられたと判断したとき、スキャナ２５に電源を供給させて作動させ（ステップＳ１２）、スキャナ２５が読取ったデータをデコードした結果をコントローラ２１が判断し、正しいコードを検出したか否か判断する（ステップＳ１３）。
【００４４】
ステップＳ１３で正しいコードが検出できない場合には、アクセス処理を中止する（ステップＳ１４）。正しいコードを検出した場合には、デコーダ２６がデコードしたサイトコードと媒体コードを、メモリ２２に記憶させる（ステップＳ１５）。ここで、この通信端末装置１０に設定されている動作モードが、直ぐにアクセスするモードであるか否か判断し（ステップＳ１６）、直ぐにアクセスするモードである場合には、サービスエリア内であるか否か判断する（ステップＳ１７）。
【００４５】
ステップＳ１６で直ぐにアクセスするモードが設定されてない場合と、ステップＳ１７で無線電話のサービスエリア外であると判断した場合には、ここではアクセス処理を実行せずに待機する（ステップＳ１８）。
【００４６】
ステップＳ１７でサービスエリア内であると判断した場合には、コントローラ２１が情報閲覧用のブラウザを起動させて、この通信端末装置による無線通信で、基地局１０１を経由して契約しているキャリア側サーバ１０３にダイヤルアップで接続させるアクセス処理を行う（ステップＳ１９）。キャリア側サーバ１０３へのアクセスができると、ステップＳ１５でメモリ２２に記憶させたサイトコードと媒体コードをキャリア側サーバ１０３に伝送する（ステップＳ２３）。サイトコードの伝送で、キャリア側サーバ１０３はそのコードで示されるサイト（インターネットのホームページなど）に接続させる処理を行い、例えばそのサイトからのデータを通信端末装置１０で受信して表示させる等のアクセス処理を行う（ステップＳ２１）。そして、コントローラ２１はアクセスを終了させる操作が行われたか否か判断し（ステップＳ２２）、アクセス終了操作が行われた場合、通信回線を切断させる終了処理を行う。
【００４７】
この図１０に示すアクセス処理が行われたとき、キャリア側サーバ１０３では、例えば図１１のフローチャートに示す処理が行われる。即ち、キャリア側サーバ１０３では、各通信端末装置のユーザからのアクセスがあるか否か判断し（ステップＳ５１）、アクセスがあったとき、サイトコードの伝送があるか否か判断すると共に（ステップＳ５２）、媒体コードの伝送があるか否かについても判断する（ステップＳ５３）。ここで、媒体コードの伝送がある場合には、その媒体コードをアクセスデータ蓄積部１０４に蓄積させる。そして、媒体コードの有無にかかわらず、サイトコードの伝送があるときには、該当するサイトへの接続処理を行う（ステップＳ５４）。このようにアクセス処理を行うことで、キャリア側サーバがアクセス時に媒体コードを収集することができ、制御局などが別途媒体コードを収集する必要がなくなる。
【００４８】
また、上述した実施の形態では、バーコード化されたアクセスコードは、雑誌の広告ページなどの媒体に掲載させたが、他の各種媒体（印刷媒体）にアクセスコードを掲載しても良い。即ち、例えば図１２に示すように、掲示板４００に掲示された宣伝用のポスター４１０，４２０，４３０のそれぞれに、広告を出している会社のホームページのアドレス（ＵＲＬ）の文字列による記載４１１，４２１，４３１を行うと共に、バーコード化されたアクセスコードの記載４１２，４２２，４３２を行う。そして、通信端末装置１０を所持するユーザが、そのポスターの掲示を見て興味をもったとき、そのポスターのアクセスコードのバーコードを通信端末装置１０でスキャニングさせることで、ＵＲＬの入力操作を行うことなくそのサイトにアクセスすることができる。
【００４９】
また、雑誌，ポスター以外の媒体にアクセスコードを記載するようにしても良い。即ち、新聞広告、製品パッケージ、ポストカード、折り込みチラシ、ダイレクトメール、フライヤー、製品カタログ、販売促進物などの各種印刷物にアクセスコードを印刷して掲載しても良い。或いは、各社のホームページの一覧を掲載するホームページリストのようなものに、バーコードなどのアクセスコードを掲載させても良い。
【００５０】
また、上述した実施の形態では、バーコード化されたアクセスコードを掲載するようにしたが、他の方法によりアクセスコードを掲載するようにしても良い。例えば、バーコード以外の各種パターンによりコード化されたアクセスコードとしても良い。即ち、バーコード以外の各種一次元シンボル，二次元シンボルや、その他の幾何学的シンボルを使用しても良い。一次元以外のシンボルを使用する場合には、そのシンボルの読み取り手段として、ＣＣＤイメージセンサなどの固体撮像装置を使用しても良い。このような撮像手段を使用した場合には、撮像手段をいわゆるテレビ電話用の画像取り込みと、アクセスコードの読取り用とに兼用させることができる。
【００５１】
また、ロイコ染料等の磁気染料を利用して広告原稿を印刷し、その印刷工程上で磁気染料による磁気パターンでアクセスコードを掲載させる。そして、通信端末装置１０でその磁気パターンを読取る手段として、バーコードスキャナの代わりに、磁気センサを取付けて、その磁気センサで磁気パターンを検出して、その磁気パターンをデコードした結果から、アクセスコードに含まれるサイトコードと媒体コードを検出するようにしても良い。通信端末装置が備える磁気センサとしては、例えばＭＲ素子（磁気抵抗効果素子）によるセンサが使用できる。このような磁気センサは小型であるため、小型の携帯電話端末に内蔵させることが簡単にできる。また、センサの検出感度によっては、印刷媒体にセンサを接触させない非接触状態で読み取ることも可能である。
【００５２】
この磁気パターンでアクセスコードを掲載させた場合には、印刷物の表面に磁気パターンが見えない状態にすることができるため、アクセスコードの記載箇所に、通常の印刷などで他の情報を表示させることも可能であり、広告スペースなどを有効に活用できるようになる。例えば、磁気パターンでアクセスコードを掲載させた箇所の上に、文字列によるＵＲＬを印刷するようにしても良い。
【００５３】
また、無線端末装置にバーコードなどを読み取る読取り手段を設ける場合には、その読取り手段を無線端末装置と別体で構成しても良い。即ち、例えば図１３に示すように、無線端末装置１０′に、バーコードなどを読み取るスキャナ装置３０の接続端子部３１を接続し、スキャナ装置３０の読取部３３で読取ったデータを、ケーブル３２と接続端子部３１を介して無線端末装置１０′内のメモリに転送して、その転送されたデータに基づいてアクセス処理や媒体コードを集計させるための処理を行っても良い。また、無線端末装置とスキャナ装置との間は、コードレスで読取ったデータを伝送するようにしても良い。
【００５４】
また、上述した実施の形態では、通信端末装置１０が備えるスキャナ２５が、その端末装置が押し下げられたとき電源が投入されて、バーコードの読取りを  行う構成としたが、何らかのスイッチやキーの操作で読み取られるようにしても良い。例えば、所定のモード設定を行った上で、図３に示す通信端末装置１０の側面のダイヤル型入力手段２４ａを押す等の操作を行ったとき、読み取られるようにしても良い。或いは、端末装置の押し下げ操作と、専用のスイッチの入力操作又はダイヤル型入力手段２４ａを押す等の操作を同時に行ったとき、読み取られるようにしても良い。
【００５５】
また、上述した実施の形態では、無線端末装置をいわゆる携帯電話端末として構成された装置としたが、例えばインターネットへのアクセス専用の端末装置として構成したり、或いはＰＤＡ（Personal Didital Assistants ）等と称されるデータ処理端末装置として構成しても良い。この場合、データ処理端末装置に無線電話機としての機能を内蔵させた場合には、そのまま読み取ったアクセスコードでアクセスさせることができる。また、データ処理端末装置に無線電話機としての機能が内蔵されてない場合には、そのデータ処理端末装置に無線通信端末装置を接続することで、データ処理端末装置が読み取ったアクセスコードでアクセスさせることができる。
【００５６】
また、図５に示したアクセスコードは、一例を示したものであり、少なくともサイトコードと媒体コードがあれば、本発明の処理は実現できるものであり、その他のデータ構成でサイトコードと媒体コードとを配置しても良い。
【００５７】
【発明の効果】
本発明によると、通信端末側では媒体に記載されたアクセスコードを検出するだけで、そのアクセスコードに含まれるサイトコードのサイトへのアクセスが容易にできるようになると共に、そのアクセスコードに含まれる媒体コードの集計で、サイト側又は通信回線運用者側ではどの媒体を利用してアクセスさせたのか正確に集計できるようになり、例えばどの媒体からのアクセス率が高いか等の判断が的確に行えるようになる。情報提供者にとってはアクセスコードを掲載する媒体の選択が適切に行えるようになる。
【図面の簡単な説明】
【図１】本発明の一実施の形態によるシステム構成例を示す説明図である。
【図２】本発明の一実施の形態による端末の構成例を示すブロック図である。
【図３】本発明の一実施の形態による端末へのスキャナの配置例を示す斜視図である。
【図４】本発明の一実施の形態によるアクセスコードの印刷状態とスキャニングの例を示す斜視図である。
【図５】本発明の一実施の形態によるアクセスコードの構成例を示す説明図である。
【図６】本発明の一実施の形態によるアクセス処理例を示すフローチャートである。
【図７】本発明の一実施の形態によるサーバでの処理例を示すフローチャートである。
【図８】本発明の一実施の形態による回線制御局での処理例を示すフローチャートである。
【図９】本発明の他の実施の形態によるシステム構成例を示す説明図である。
【図１０】本発明の他の実施の形態によるアクセス処理例を示すフローチャートである。
【図１１】本発明の他の実施の形態によるサーバでの処理例を示すフローチャートである。
【図１２】本発明のさらに他の実施の形態によるアクセスコードの印刷物の掲示例を示す斜視図である。
【図１３】本発明のさらに他の実施の形態による端末へのスキャナの接続例を示す斜視図である。
【符号の説明】
１０，１０′…携帯端末装置、１２…送受信処理部、１３…変復調処理部、１４…データ処理部、２１…コントローラ、２２…メモリ、２３…表示部、２４…操作部、２５…スキャナ、２５ａ…読取り部、２６…デコーダ、３０…スキャナ装置、１０１…無線基地局、１０２…制御局、１０３…キャリア側サーバ、１０４…アクセスデータ蓄積部、１０５…インターネット、２００…広告物、２０１…バーコード印刷部、３００…雑誌、３０１…広告ページ、３０２…サイトアドレス印刷部、３０３…バーコード印刷部、４００…広告掲示板、４１０，４２０，４３０…ポスター、４１１，４２１，４３１…サイトアドレス印刷部、４１２，４２２，４３２…バーコード印刷部
【図１】
0004524809.tif 000002
【図２】
0004524809.tif 000003
【図３】
0004524809.tif 000004
【図４】
0004524809.tif 000005
【図５】
0004524809.tif 000006
【図６】
0004524809.tif 000007
【図７】
0004524809.tif 000008
【図８】
0004524809.tif 000009
【図９】
0004524809.tif 000010
【図１０】
0004524809.tif 000011
【図１１】
0004524809.tif 000012
【図１２】
0004524809.tif 000013
【図１３】
0004524809.tif 000014